(57)【要約】本発明の目的は進歩した予測技術を実行することである。本目的は、無線アクセスネットワークに含まれる基地局における方法により達成される。基地局は、少なくとも一つのユーザ装置と通信するように構成され、該方法は、時刻ｔ＝１，…，ｎにおいてサンプリングされたＣＱＩ値の列を、少なくとも一つのユーザ装置のうちの一つ以上から受信するステップと、受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するステップと、特定のＣＱＩ値ｋに対する時刻ｔ＋ｄにおけるＣＱＩ値の推定された条件付き期待値である、特定のＣＱＩ値ｋに対する予測ＣＱＩ値を取得するステップとを備える。【選択図】図４
2010506488.tif 000002
【特許請求の範囲】
【請求項１】
少なくとも一つのユーザ装置（ＵＥ１、ＵＥ２、ＵＥ３、ＵＥ４、ＵＥ５、ＵＥｎ）と通信するように構成された、無線アクセスネットワークに含まれる基地局（１００）における方法であって、
時刻ｔ＝１，…，ｎにおいてサンプリングされたＣＱＩ値の列を、前記少なくとも一つのユーザ装置（ＵＥ１、ＵＥ２、ＵＥ３、ＵＥ４、ＵＥ５、ＵＥｎ）のうちの一つ以上から受信するステップと、
前記受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するステップと、
前記特定のＣＱＩ値ｋに対する時刻ｔ＋ｄにおける前記ＣＱＩ値の前記推定された条件付き期待値である、前記特定のＣＱＩ値ｋに対する予測ＣＱＩ値を取得するステップと
を備えることを特徴とする方法。
【請求項２】
前記予測ＣＱＩ値は
2010506488.tif 000029
で表され、
前記予測ＣＱＩ値は、
2010506488.tif 000030
を時刻ｔにおける前記ＣＱＩ値とし、＃を受信されたＣＱＩ値のうちで時刻ｔにおける前記ＣＱＩ値がｋに等しいものの個数とする場合に、
2010506488.tif 000031
を用いて取得されることを特徴とする請求項１に記載の方法。
【請求項３】
前記無線アクセスネットワークにおいて用いられる特定のＣＱＩ値ｋのそれぞれすべてに対して予測ＣＱＩ値を取得するステップをさらに備えることを特徴とする請求項１又は２に記載の方法。
【請求項４】
前記無線アクセスネットワークにおいて用いられる特定のＣＱＩ値ｋのそれぞれすべてに対するすべての予測ＣＱＩ値を集約する参照ＣＱＩ予測テーブルを作成するステップをさらに備えることを特徴とする請求項３に記載の方法。
【請求項５】
前記使用される無線アクセスネットワークにおいて用いられるすべての特定のＣＱＩ値は、０から３０の整数であることを特徴とする請求項１乃至４のいずれか１項に記載の方法。
【請求項６】
前記基地局（１００）と個別ユーザ装置（ＵＥ４）との間に通信セッションが設立され、
前記方法は、
前記基地局（１００）と個別ユーザ装置（ＵＥ４）との間の前記通信セッションの間に前記個別ユーザ装置（ＵＥ４）から時刻ｔ＝１，…，ｎにおいてサンプリングされたＣＱＩ値の列を受信するステップと、
前記個別ユーザ装置（ＵＥ４）からの前記受信された特定のＣＱＩ値のそれぞれに対して、時刻ｔにおける前記特定のＣＱＩ値が与えられた場合の時刻ｔ＋ｄにおけるサンプルＣＱＩ予測値を推定するステップと、
時刻ｔ＋ｄにおける前記予測ＣＱＩ値と前記サンプルＣＱＩ予測値との間の加重平均を形成することによって、前記個別ユーザ装置（ＵＥ４）に対する時刻ｔ＋ｄにおける個別予測ＣＱＩ値を取得するステップと
をさらに備え、
前記加重平均は、前記個別サンプルＣＱＩ予測値に対して進行中の通信セッションの間に受信されたＣＱＩ値の列の統計データに応じて更新され、前記通信セッションの開始時点では予測ＣＱＩ値に完全に重みがおかれて始まり、前記進行中の通信セッションの間に受信されたＣＱＩ値が増加すると該予測ＣＱＩ値への重みを減少する
ことを特徴とする請求項４又は５に記載の方法。
【請求項７】
前記個別ユーザ装置（ＵＥ４）に対する時刻ｔ＋ｄにおける前記予測ＣＱＩ値と前記サンプルＣＱＩ予測値の間の前記加重平均は、
2010506488.tif 000032
を前記個別予測ＣＱＩ値とし、
2010506488.tif 000033
を前記参照テーブルからの前記予測ＣＱＩ値とし、
2010506488.tif 000034
を前記個別ユーザ装置（ＵＥ４）からの前記個別サンプルＣＱＩ予測値とする場合に、
2010506488.tif 000035
を用いて取得され、
重みαは０≦α≦１を満たし、前記通信セッションの開始時点でαは最初は１であり、
2010506488.tif 000036
を推定するのに用いられるサンプルサイズが増加するにつれてαは０に近づく
ことを特徴とする請求項６に記載の方法。
【請求項８】
前記個別ユーザ装置（ＵＥ４）は、前記基地局（１００）がサービスを提供するソースセル（１１０）から、宛先基地局（２１０）がサービスを提供する宛先セル（２００）へのハンドオーバを実行し、
前記方法は、
前記個別ユーザ装置（ＵＥ４）に対する前記無線アクセスネットワークにおいて用いられる特定のＣＱＩ値のそれぞれすべてに対する前記個別サンプルＣＱＩ予測値を前記宛先基地局（２１０）に送信するステップであって、前記宛先基地局（２１０）は、前記宛先基地局（２１０）が作成した参照ＣＱＩ予測値と、前記ソースセル（１１０）内の前記基地局（１００）が作成した前記個別ユーザ装置（ＵＥ４）に対する前記個別サンプルＣＱＩ予測値と、の両方を用いて、前記宛先セル（２００）内の前記個別ユーザ装置（ＵＥ４）に対する時刻ｔ＋ｄにおける個別サンプルＣＱＩ予測値を作成するステップをさらに備える
ことを特徴とする請求項６又は７に記載の方法。
【請求項９】
少なくとも一つのユーザ装置（ＵＥ１、ＵＥ２、ＵＥ３、ＵＥ４、ＵＥ５、ＵＥｎ）と通信するように構成された、無線アクセスネットワークに含まれる基地局（１００）の装置（５００）であって、
時刻ｔ＝１，…，ｎにおいてサンプリングされたＣＱＩ値の列を、前記少なくとも一つのユーザ装置（ＵＥ１、ＵＥ２、ＵＥ３、ＵＥ４、ＵＥ５、ＵＥｎ）のうちの一つ以上から受信するように構成された受信器（５１０）と、
前記受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するように構成された推定ユニット（５２０）と、
前記特定のＣＱＩ値ｋに対する時刻ｔ＋ｄにおける前記ＣＱＩ値の前記推定された条件付き期待値である、前記特定のＣＱＩ値ｋに対する予測ＣＱＩ値を取得するように構成された予測ユニット（５３０）と
を備えることを特徴とする基地局の装置（５００）。
【請求項１０】
前記予測ユニット（５３０）は、前記無線アクセスネットワークにおいて用いられる特定のＣＱＩ値ｋのそれぞれすべてに対して予測ＣＱＩ値を取得し、前記無線アクセスネットワークにおいて用いられる特定のＣＱＩ値ｋのそれぞれすべてに対するすべての予測ＣＱＩ値を集約する参照ＣＱＩ予測テーブルを作成するようにさらに構成されたことを特徴とする請求項９に記載の基地局の装置（５００）。
【請求項１１】
前記基地局（１００）は、前記基地局（１００）と個別ユーザ装置（ＵＥ４）との間に通信セッションを設立するように構成され、
前記受信器（５１０）は、前記基地局（１００）と個別ユーザ装置（ＵＥ４）との間の前記通信セッションの間に前記個別ユーザ装置（ＵＥ４）から時刻ｔ＝１，…，ｎにおいてサンプリングされたＣＱＩ値の列を受信するようにさらに構成され、
前記推定ユニット（５２０）は、前記個別ユーザ装置（ＵＥ４）からの前記受信された特定のＣＱＩ値のそれぞれに対して、時刻ｔにおける前記特定のＣＱＩ値が与えられた場合の時刻ｔ＋ｄにおけるサンプルＣＱＩ予測値を推定するようにさらに構成され、
前記予測ユニット（５３０）は、時刻ｔ＋ｄにおける前記予測ＣＱＩ値と前記サンプルＣＱＩ予測値との間の加重平均を形成することによって、前記個別ユーザ装置（ＵＥ４）に対する時刻ｔ＋ｄにおける個別予測ＣＱＩ値を取得するようにさらに構成され、
前記加重平均は、前記個別サンプルＣＱＩ予測値に対して進行中の通信セッションの間に受信されたＣＱＩ値の列の統計データに応じて更新され、前記通信セッションの開始時点ではα＝１で始まり、前記進行中の通信セッションの間に受信されたＣＱＩ値が増加すると該予測ＣＱＩ値への重みを減少する
ことを特徴とする請求項１０に記載の基地局の装置（５００）。
【請求項１２】
前記個別ユーザ装置（ＵＥ４）は、前記基地局（１００）がサービスを提供するソースセル（１１０）から、宛先基地局（２１０）がサービスを提供する宛先セル（２００）へのハンドオーバを実行するように構成され、
前記基地局の装置（５００）は、
前記個別ユーザ装置（ＵＥ４）に対する前記無線アクセスネットワークにおいて用いられる特定のＣＱＩ値のそれぞれすべてに対する前記個別サンプルＣＱＩ予測値を前記宛先基地局（２１０）に送信するように構成された送信器（５４０）であって、前記宛先基地局（２１０）は、前記宛先基地局（２１０）が作成した参照ＣＱＩ予測値と、前記ソースセル（１１０）内の前記基地局（１００）が作成した前記個別ユーザ装置（ＵＥ４）に対する前記個別サンプルＣＱＩ予測値と、の両方を用いて、前記宛先セル（２００）内の前記個別ユーザ装置（ＵＥ４）に対する時刻ｔ＋ｄにおける個別サンプルＣＱＩ予測値を作成するように構成される送信器（５４０）をさらに備える
ことを特徴とする請求項１１に記載の基地局の装置（５００）。
【発明の詳細な説明】
【技術分野】
【０００１】
本発明は一般に無線アクセスネットワークにおける基地局のための方法および装置に関する。本発明は特に無線アクセスネットワークにおけるＣＱＩ予測値の作成に関する。
【背景技術】
【０００２】
今日の無線通信システムでは、無線受信機でチャネル品質を推定するために種々の測定技術が用いられる。
【０００３】
これらの測定技術は例えば、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）およびマイクロ波アクセスのための全世界相互運用（ＷｉＭａｘ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などのアクセス技術を用いるシステムにおいて採用される。ＷｉＭａｘはＩＥＥＥ８０２．１６標準に基づく広帯域無線ネットワークに関連する。このような測定技術の一つはチャネル品質指標（ＣＱＩ、Ｃｈａｎｎｅｌ  Ｑｕａｌｉｔｙ  Ｉｎｄｉｃａｔｏｒ）である。ＣＱＩはダウンリンクの品質報告に関する用語であり、ユーザ装置により測定され、基地局に送信される。ＣＱＩは幾つかのアルゴリズムへの入力である。
【０００４】
ＣＱＩの主な目的は、伝送フォーマット、すなわち電力、ブロックサイズ、変調、および符号化を選択するためである。典型的には１０％のブロック誤り率（ＢＬＥＲ、Ｂｌｏｃｋ  Ｅｒｒｏｒ  Ｒａｔｅ）のような一定の確率でユーザ装置が受信し検出するＣＱＩに基づいて、ユニバーサル地上波無線アクセス（ＵＴＲＡ、Ｕｎｉｖｅｒｓａｌ  Ｔｅｒｒｅｓｔｒｉａｌ  Ｒａｄｉｏ  Ａｃｃｅｓｓ）において用いられる高速物理ダウンリンク共有チャネル（ＨＳ−ＰＤＳＣＨ、Ｈｉｇｈ  Ｓｐｅｅｄ  Ｐｈｙｓｉｃａｌ  Ｄｏｗｎｌｉｎｋ  ＳｈａｒｅｄをＣｈａｎｎｅｌ）の送信電力が選択される。ＢＬＥＲはディジタル回線で受信されたブロック総数に対する誤りブロック数の比である。高負荷であり電力制限のある場合に、希望よりも小さい伝送ブロックサイズ（ＴＢＳ、ｔｒａｎｓｐｏｒｔ  ｂｌｏｃｋ  ｓｉｚｅ）が選択される。ＴＢＳが小さいことは、低電力で送信される場合にユーザ装置がブロックを受信できるように、符号化が多くなるか変調が低い次数になることの少なくとも何れかを意味する。
【０００５】
高速共有制御チャネル（ＨＳ−ＳＣＣＨ、Ｈｉｇｈ  Ｓｐｅｅｄ  Ｓｈａｒｅｄ  Ｃｏｎｔｒｏｌ  Ｃｈａｎｎｅｌ）のチャネル電力制御にもＣＱＩが用いられる。また、高速物理ダウンリンク共有チャネル（ＨＳ−ＰＤＳＣＨ）の共有されるチャネルにおけるパケット／ユーザに関するメディアアクセス制御（ＭＡＣ、Ｍｅｄｉａ  Ａｃｃｅｓｓ  Ｃｏｎｔｒｏｌ）スケジューリングもＣＱＩに基づくことができる。最良信号対干渉比（ＳＩＲ、Ｓｉｇｎａｌ−ｔｏ−Ｉｎｔｅｒｆｅｒｅｎｃｅ  Ｒａｔｉｏ）および比例公平（ＰＦ、Ｐｒｏｐｏｒｔｉｏｎａｌ  Ｆａｉｒ）スケジューリングはＣＱＩベースのスケジューリング・アルゴリズムの例である。
【０００６】
進化したＵＴＲＡ（Ｅ−ＵＴＲＡ、Ｅｖｏｌｖｅｄ  ＵＴＲＡ）も、ユーザ装置により基地局に送信され、無線リソース管理（ＲＲＭ、Ｒａｄｉｏ  Ｒｅｓｏｕｒｃｅ  Ｍａｎａｇｅｍｅｎｔ）アルゴリズムに用いられる類似のダウンリンク品質測定を含んでもよい。また、サブキャリアのグループ毎に一つのＣＱＩの測定があってもよい。
【０００７】
伝送フォーマット選択技術の主な欠点の一つは、この技術がブロックを送信する場合の処理と伝送との遅延のせいで時間的に古くなるだろう閉ループで測定された品質に基づくことである。すなわち、時刻ｔ＋ｄにおいて送信される伝送ブロック（ＴＢ、ｔｒａｎｓｐｏｒｔ  ｂｌｏｃｋ）のＴＢＳを選択するのに時刻ｔにおける報告されたＣＱＩが用いられる。また、アップリンクがＴＴＩ毎にＣＱＩを報告するのは（無線リソースおよび電力／バッテリ、…に）負担がかかる。典型的にはＣＱＩの報告間隔の頻度が少ないほど、これによる測定の遅延が大きくなる。
【０００８】
また、Ｅ−ＵＴＲＡのＣＱＩの測定はユーザ装置から基地局に対しても遅延されるだろう。サブキャリアの選択および電力制御の目的のためには、ユーザ装置による多くのＣＱＩの測定が期待される。報告間隔を短縮することは、遅延を短くするための方法としては負担がかかるだろう。
【０００９】
特許文献１はリンク適合技術を採用する通信システムのためのチャネル品質予測による性能改良方法を開示する。このシステムは、ダウンリンクの送信を選択的に測定し、その後に、１以上の測定値、または受信機において測定値から導出されたチャネル品質指標を記憶する受信機を含む。その後、受信機は１以上の過去の測定値（または過去のチャネル品質推定値そのもの）を取り出し、これを現在の測定値（または現在のチャネル品質推定値）と組合せて将来のある時間におけるチャネル品質を予測し、予測ＣＱＩを導出する。現在のチャネル測定値と少なくとも一つの過去のチャネル測定値との両方から導出されたこの予測ＣＱＩは、その後に送信機に送信され、送信パラメータの更新に用いられる。このシステムの問題はすべての予測をユーザ装置において行うことである。異なるユーザ装置が異なる方法で予測を行うかもしれず、ユーザ装置間で振舞いが異なることになるので、ユーザ装置において予測を行うことにはリスクを伴う。これは異なるユーザ装置において使用される異なる予測技術に起因するであろう。報告されるＣＱＩをユーザ装置において変更すると、ＣＱＩとして基地局に報告されているのが何であるかを基地局は知らないままになる。
【００１０】
特許文献２は無線ネットワークにおけるチャネル予測の技術およびシステムを表現する。このシステムでは、基地局は複数の移動体ユニットのそれぞれから一連のチャネル指標を受信し、各チャネル指標はタイムスロット毎に一度、各移動体ユニットから受信される。チャネル予測機はチャネル指標を使用して各移動体ユニットのチャネル状態の予測値を生成し、チャネル状態の予測値は直近のチャネル状態の指標と一連のチャネル指標の平均値とを用いる平衡推定値に基づく。一連のチャネル指標値の変化度に基づいて重みが計算され、緩慢に変化する状態にある間は直近の指標をより強く強調し、急速に変化する状態にある間は平均指標をより強く強調するために、直近のチャネル状態の指標とチャネル状態の平均指標とへの相対的な強調の割当てにこの重みが用いられる。この予測技術は一部の場合には十分に動作するかもしれないが、代表的な場合に有効であるだろうかは明確でない。例えば緩慢に変化するチャネル状態では、極端なチャネル状態の後には典型的に平均から大きく離れたチャネル状態が続くだろう。この解決策による予測は余りに粗い予測になるかもしれない。
【先行技術文献】
【特許文献】
【００１１】
【特許文献１】国際公開第２００４／０４２９８２号パンフレット
【特許文献２】米国特許出願公開第２００５／０２２７６９７号明細書
【発明の概要】
【発明が解決しようとする課題】
【００１２】
従って、本発明の目的は、強化された予測技術の機構を提供することである。
【課題を解決するための手段】
【００１３】
本発明の第１の形態によれば、本目的は、無線アクセスネットワークに含まれる基地局における方法により達成される。基地局は、少なくとも一つのユーザ装置と通信するように構成され、該方法は、時刻ｔ＝１，…，ｎにおいてサンプリングされたＣＱＩ値の列を、少なくとも一つのユーザ装置のうちの一つ以上から受信するステップと、受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するステップと、特定のＣＱＩ値ｋに対する時刻ｔ＋ｄにおけるＣＱＩ値の推定された条件付き期待値である、特定のＣＱＩ値ｋに対する予測ＣＱＩ値を取得するステップとを備える。
【００１４】
本発明の第２の形態によれば、本目的は、基地局の装置により達成される。基地局は無線アクセスネットワークに含まれ、少なくとも一つのユーザ装置と通信するように構成される。基地局の装置は、時刻ｔ＝１，…，ｎにおいてサンプリングされたＣＱＩ値の列を、少なくとも一つのユーザ装置のうちの一つ以上から受信するように構成された受信器を備える。基地局の装置は、受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するように構成された推定ユニットをさらに備える。基地局の装置は、特定のＣＱＩ値ｋに対する時刻ｔ＋ｄにおけるＣＱＩ値の推定された条件付き期待値である、特定のＣＱＩ値ｋに対する予測ＣＱＩ値を取得するように構成された予測ユニットをさらに備える。
【００１５】
基地局が少なくとも一つのユーザ装置のうちの一つ以上から時刻ｔ＝１，…，ｎにおいてサンプリングされたＣＱＩ値の列を受信するため、基地局は、特定のＣＱＩ値ｋの受信された特定のＣＱＩ値のそれぞれに対して、時刻ｔにおける特定のＣＱＩ値が与えられた場合の時刻ｔ＋ｄにおけるＣＱＩの条件付き期待値を推定する。特定のＣＱＩ値ｋの予測ＣＱＩ値が取得されるため、時刻ｔ＋ｄにおける調整されたＣＱＩを用いることができ、調整されたＣＱＩは時刻ｔにおける報告されたＣＱＩ値を単に使用するよりも一層正確である。これは、調整されたＣＱＩ値は依然未知であるが、時刻ｔにおける報告されたＣＱＩ値よりも、恐らく時刻ｔ＋ｄにおける真のＣＱＩ値により近いであろうからである。
【発明の効果】
【００１６】
ＴＢＳアルゴリズムに対する入力である時刻ｔにおける報告されたＣＱＩ値を単に使用する代わりに、本発明に係る時刻ｔ＋ｄにおける調整されたＣＱＩを使用することの利点は、より適するＴＢＳを選択できることである。この結果、その他の場合より目標ＢＬＥＲにより近いＢＬＥＲが得られるだろう。報告されたＣＱＩを使用すると、典型的に希望より高いＢＬＥＲが得られるだろう。また、ＢＬＥＲはＴＢＳへの依存度がより少なくなる（独立）だろう。
【００１７】
本発明のさらなる利点は、スケジューリングとＨＳ−ＰＤＳＣＨ電力制御との性能を改善するために、調整されたＣＱＩを用いることもできることである。
【００１８】
本発明のさらなる利点は、本方法が、ＣＱＩに類似したユーザ装置が報告する品質測定値に基づいて、基地局のＥ−ＵＴＲＡアルゴリズムをも改善するだろうことである。
【００１９】
本発明のさらなる利点は、ハンドオーバ実行時間を低減することである。
【図面の簡単な説明】
【００２０】
【図１】無線アクセスネットワークに含まれるセルにおける通信を説明する概略ブロック図の一例である。
【図２】無線アクセスネットワークにおけるハンドオーバを説明する概略ブロック図の一例である。
【図３】測定されたＣＱＩを調整する条件付き分布を表現する図の一例である。
【図４】無線アクセスネットワーク内の基地局におけるＣＱＩ予測値の作成方法の一例を説明するフローチャートである。
【図５】無線アクセスネットワーク内の基地局における装置の一例を説明する概略ブロック図である。
【発明を実施するための形態】
【００２１】
以下に説明する実施形態において実現されてもよい方法および装置として、本発明は規定される。
【００２２】
図１は、例えばＵＭＴＳ、Ｅ−ＵＴＲＡ、ＷｉＭａｘ、無線ローカルエリアネットワーク（ＷＬＡＮ、Ｗｉｒｅｌｅｓｓ  Ｌｏｃａｌ  Ａｒｅａ  Ｎｅｔｗｏｒｋ）、および移動通信全世界システム（ＧＳＭ、Ｇｌｏｂａｌ  Ｓｙｓｔｅｍ  ｆｏｒ  Ｍｏｂｉｌｅ  ｃｏｍｍｕｎｉｃａｔｉｏｎ）のような無線アクセスネットワークに含まれるセル１１０において通信する基地局１００を表現する。無線アクセスネットワークは少なくとも一つの、一般には複数のセルを含み、その内の一つのセル１１０が図１に表現される。基地局１００は、例えばＵＭＴＳまたはＥ−ＵＴＲＡのノードＢ、ＷｉＭａｘの基地局、ＧＳＭの基地送受信局（ＢＴＳ、Ｂａｓｅ  Ｔｒａｎｓｃｅｉｖｅｒ  Ｓｔａｔｉｏｎ）、ＷＬＡＮのアクセスポイント（ＡＰ、Ａｃｃｅｓｓ  Ｐｏｉｎｔ）などの任意の適当な基地局であってもよい。基地局１００は複数のユーザ装置ＵＥ１、ＵＥ２、ＵＥ３、ＵＥ４、ＵＥ５、および図示されないＵＥｎまでのさらなる複数のユーザ装置と通信するように構成される。基地局１００は無線通信を用いてユーザ装置ＵＥ１、ＵＥ２、ＵＥ３、ＵＥ４、ＵＥ５、ＵＥｎと通信するように構成され、この無線通信は破線１２０として参照される。
【００２３】
本方法の第１の部分では、初期のＣＱＩ予測値の作成方法およびさらには基地局１００が参照ＣＱＩ予測値として用いるだろう参照予測テーブルの作成方法を説明する。基地局と個別ユーザ装置と間の呼の開始フェーズにおいて、またはハンドオーバを実行する際に、個別ユーザ装置に関する付加的な情報が知られていない場合に、最初に参照テーブルが用いられてもよく、基地局１００は時刻ｔ＋ｄにおけるＣＱＩを予測するために参照テーブルを用いる。
【００２４】
ユーザ装置ＵＥ１、ＵＥ２、ＵＥ３、ＵＥ４、ＵＥ５、およびＵＥｎのそれぞれは基地局１００にＣＱＩ値を頻繁に送信する。ＣＱＩ値が送信される頻度はセル１１０のすべてのユーザ装置ＵＥ１、ＵＥ２、ＵＥ３、ＵＥ４、ＵＥ５、およびＵＥｎへのブロードキャスト情報で基地局１００により制御され、ＣＱＩ値はベンダの実装またパラメータ設定に依存して変化してもよく、ＣＱＩ値は例えば８ｍｓ毎に送信されてもよい。ＣＱＩ値はｋと表され、この例におけるように、例えばＵＴＲＡのように例えば整数０と３０との間で変化してもよい。例えば、第１のユーザ装置ＵＥ１が第１の期間に、ＣＱＩ値：ｔ＝１におけるｋ＝２５、ｔ＝２におけるｋ＝２８、ｔ＝３におけるｋ＝２６、ｔ＝４におけるｋ＝７、およびｔ＝５におけるｋ＝１６を報告し、第２のユーザ装置ＵＥ２が同じ第１の期間に、ＣＱＩ値：ｔ＝１におけるｋ＝２６、ｔ＝２におけるｋ＝２３、ｔ＝３におけるｋ＝２６、ｔ＝４におけるｋ＝２２、およびｔ＝５におけるｋ＝１９を報告し、第３のユーザ装置ＵＥ３が同じ第１の期間に、ＣＱＩ値：ｔ＝１におけるｋ＝２１、ｔ＝２におけるｋ＝２１、ｔ＝３におけるｋ＝２９、ｔ＝４におけるｋ＝２２、およびｔ＝５におけるｋ＝２６を報告してもよい。
【００２５】
基地局１００はユーザ装置ＵＥ１、ＵＥ２、ＵＥ３、ＵＥ４、ＵＥ５、およびＵＥｎからＣＱＩ値の列を受信する。セル１１０に関連する参照ＣＱＩ予測テーブルを作成するために、基地局１００は特定の期間にセル１１０のユーザ装置ＵＥ１、ＵＥ２、ＵＥ３、ＵＥ４、ＵＥ５、およびＵＥｎからＣＱＩ値を収集する。参照テーブルは、時刻ｔにおけるＣＱＩ値のそれぞれに対する時刻ｔ＋ｄにおける予測ＣＱＩ値をも記載することにより作成される。この例においてＣＱＩ値は０と３０との間の整数であり、ｄはＣＱＩが予測されるだろう遅延時間である。すなわち、ある時間におけるＣＱＩが
2010506488.tif 000003
で示されるとすると、その場合にＣＱＩ予測テーブルはすべてのＣＱＩに対する推定された条件付き期待値、例えばセルおよびＵＥタイプに対する
2010506488.tif 000004
、ｋ＝０，…，３０の推定値である。ｋはＣＱＩ値であり、Ｅは時刻ｔにおけるＸの値がｋであったことを条件とする時刻ｔ＋ｄにおけるＸの期待値である。
【００２６】
このような参照ＣＱＩ予測テーブルの例が表１である。
2010506488.tif 000005
【００２７】
従って、基地局１００はこの例では第１の期間と表される特定の期間の間にセル１１０のユーザ装置ＵＥ１、ＵＥ２、ＵＥ３、ＵＥ４、ＵＥ５、およびＵＥｎから時刻ｔにおけるＣＱＩ値を収集する。この期間は、好適には信頼できる参照ＣＱＩ予測テーブルを提供する多数のＣＱＩ値を収集することができるような長さであり、典型的には１時間から３６時間の間で、好適には昼夜間のすべてのトラフィックピークが含まれるような２４時間である。しかしながら、この例では、第１の期間はｔ＝１、ｔ＝２、ｔ＝３、ｔ＝４、およびｔ＝５を含む。この第１の期間の間に、基地局１００は第１のユーザ装置ＵＥ１からＣＱＩの列ｔ＝１におけるｋ＝２５、ｔ＝２におけるｋ＝２８、ｔ＝３におけるｋ＝２６、ｔ＝４におけるｋ＝７、およびｔ＝５におけるｋ＝１６を受信し、第２のユーザ装置ＵＥ２からＣＱＩの列ｔ＝１におけるｋ＝２６、ｔ＝２におけるｋ＝２１、ｔ＝３におけるｋ＝２６、ｔ＝４におけるｋ＝２２、およびｔ＝５におけるｋ＝１９を受信し、第３のユーザ装置ＵＥ３からＣＱＩの列ｔ＝１におけるｋ＝２１、ｔ＝２におけるｋ＝２３、ｔ＝３におけるｋ＝２９、ｔ＝４におけるｋ＝２２、およびｔ＝５におけるｋ＝２６を受信し、セル１１０の残りのユーザ装置から多くの他のＣＱＩ値を受信する。これは、基地局１００が、第１のユーザ装置ＵＥ１、第２のユーザ装置ＵＥ２、および第３のユーザ装置Ｅ３から、ｋ＝７、ｋ＝１６、ｋ＝１９、ｋ＝２３、ｋ＝２５、ｋ＝２８、およびｋ＝２９のそれぞれに対して一つのＣＱＩ値を収集し、ｋ＝２１およびｋ＝２２に対して二つのＣＱＩ値を収集し、ｋ＝２６に対して四つのＣＱＩ値を収集したことを意味する。基地局１００はセル１１０の残りのユーザ装置からさらに多くの付加的なＣＱＩ値を受信するが、この例ではより容易な理解のためにこれらのＣＱＩ値は廃棄される。これらのＣＱＩ値が収集される場合に、基地局１００は、時刻ｔにおける種々のＣＱＩ値のそれぞれに対して、時刻ｔ＋ｄに関連する予測ＣＱＩ値を取得する。この例ではＣＱＩ値は０と３０との間の整数であり、ｄ＝２である。予測ＣＱＩ値は、
2010506488.tif 000006
と表され、
2010506488.tif 000007
を用いて取得される。ここで、＃は「の個数」、すなわちこの例では、受信されたＣＱＩ値のうちの時刻ｔにおけるＣＱＩがｋに等しいものの個数である。この例では、ｋ＝２１に対して二つのＣＱＩ値が受信された。時刻ｔ＋ｄ（すなわちｔ＋２）における第１のＣＱＩ値は、（ｔ＝２において第２のユーザ装置ＵＥ２が受信した）第１のｋ＝２１に対して取得され、この結果は、この例では第２のユーザ装置ＵＥ２からｔ＝４において受信されたＣＱＩ値、この場合は２２となる。時刻ｔ＋ｄにおける第２のＣＱＩ値は、（ｔ＝１において第３のユーザ装置ＵＥ３が受信した）第２のｋ＝２１に対して取得され、この結果は、この例では第３のユーザ装置ＵＥ３からｔ＝３において受信されたＣＱＩ値、この場合は２９となる。参照テーブルは、ある時刻において測定されたＣＱＩを条件とする時刻ｔ＋ｄにおけるＣＱＩの平均に基づく。これは、参照テーブルのｋ＝２１に対して時刻ｔ＋ｄにおける予測可能なＣＱＩ値が２２と２９との平均であり、２５．５となることを意味する。すなわち、ｋ＝２１に対して時刻ｔ＋ｄにおける予測可能なＣＱＩ値は２５．５である。残りのｋ＝０，ｋ＝１，…，ｋ＝２０まで、ｋ＝２２，…，ｋ＝３０までのそれぞれに対する時刻ｔ＋ｄにおけるＣＱＩの平均値が同様に取得され、結果が参照ＣＱＩ予測テーブルに編集される。
【００２８】
それぞれのセルの無線環境と典型的な可動性とを反映する報告されたＣＱＩに基づいて、無線アクセスネットワーク内の各セルに対してこのような参照テーブルが推定されてもよい。種々のユーザ装置のブランドおよびモデル（例えば、エリクソンＷ８００）などの特にユーザ装置タイプの種々のタイプに対して各セルの個別参照テーブルも推定されてもよい。例えば新しい隣接セルが追加されたり、または新しい建物または道のようなセル内のユーザ可動性が変化したりするような、無線ネットワークが変化するまでの例えば数ヶ月の間などような長期間に亘って、参照テーブルが固定されたままであってもよい。参照として有用であるためには、好適には、種々のおよび代表的な、例えばシステム負荷の状態下の多量のデータを用いて、参照テーブルが推定される。これを行うのは大部分の状態において十分に適合する参照予測テーブルを与えるためである。トラフィック負荷に従って種々の時刻に観測を拡げることにより、代表的な状態が取得される。条件付き期待がシステム負荷に依存する場合に、例えば繁忙時や夜間などの異なる時間帯に異なる参照テーブルを有することも可能であろう。ユーザ装置ＵＥ１、ＵＥ２、ＵＥ３、ＵＥ４、ＵＥ５、およびＵＥｎがＣＱＩを報告する場合に、基地局１００はこのテーブルに従って時刻ｔ＋ｄにおける推定されたＣＱＩにこのＣＱＩを対応付ける。時刻ｔ＋ｄのこの推定されたＣＱＩ値は、例えば伝送フォーマットの選択などの、ユーザ装置ＵＥ１、ＵＥ２、ＵＥ３、ＵＥ４、ＵＥ５、およびＵＥｎにおける測定から遅延ｄを伴って実行されるＣＱＩに基づくアルゴリズムに用いられる。
【００２９】
本方法は、例えばＵＥの可動性、室内での使用などを考慮するために、ユーザ装置ＵＥ１、ＵＥ２、ＵＥ３、ＵＥ４、ＵＥ５、およびＵＥｎの内の一つの個別ユーザ装置に対するＣＱＩ予測値とＣＱＩ予測テーブル（個別ＣＱＩ予測テーブル）とを連続的に計算することをさらに含んでもよい。同一のユーザ装置特性を有する同一のセル内の２人のユーザが異なる無線特性を経験するかもしれない。この例では個別ユーザ装置はユーザ装置ＵＥ１である。個別ユーザ装置ＵＥ１と基地局１００との間の通信セッションが始まる場合に、個別ＣＱＩ予測値とテーブルとを計算することが開始されてもよい。計算は、例えばすべてのセッションの間または最初の瞬間などのような任意の長さの時間継続してもよい。最新の１００個のような、直近に受信された所定の個数のＣＱＩ値を使用して取得することが好ましい。
【００３０】
基地局１００は個別ユーザ装置ＵＥ１からＣＱＩ値の列を受信する。個別ＣＱＩ予測値を作成するために、基地局１００は個別ユーザ装置ＵＥ１と基地局１００との間の通信セッションの開始フェーズの間に個別ユーザ装置ＵＥ１からのＣＱＩ値の収集を開始する。
【００３１】
報告されたＣＱＩ値は、時刻ｔにおけるＣＱＩが与えられた場合の時刻ｔ＋ｄにおけるＣＱＩを推定するのに用いられる。個別ユーザ装置ＵＥ１から報告されたＣＱＩは、個別ユーザ装置ＵＥ１の時刻ｔにおけるＣＱＩサンプル値が与えられた場合の時刻ｔ＋ｄにおけるＣＱＩの条件付き期待値、例えば
2010506488.tif 000008
に基づいて、新たな予測ＣＱＩ値を推定するのに用いられる。ここでｋ＝０，１，…，３０は、この例では個別ユーザ装置ＵＥ１の時刻ｔにおけるＣＱＩ値である。参照予測テーブルと同様にして、この遷移の平均として予測ＣＱＩ値が推定される。すなわち、
2010506488.tif 000009
…（１）により
2010506488.tif 000010
が推定される。ここで＃は「の個数」、すなわちこの例では時刻ｔにおける観測のうちのＣＱＩが２に等しい観測数である。相違はこの個別ユーザに対するＣＱＩ値のみが式（１）において用いられることである。
【００３２】
式（１）に基づくサンプルＣＱＩ予測値を
2010506488.tif 000011
で表す。
【００３３】
第２のシナリオでは、基地局１００と個別ユーザ装置ＵＥ４との間の通信セッションが設定される。ここで、基地局は、受信されたＣＱＩ値に関して、個別ユーザ装置ＵＥ４からの受信されたＣＱＩ値に焦点を当てる。個別ユーザ装置ＵＥ４から報告されたＣＱＩ値の個数がなおも少ない場合に、時刻ｔ＋ｄにおける個別ＣＱＩ予測値すなわちサンプルＣＱＩ予測値
2010506488.tif 000012
が十分な観測を用いて推定されるまでは、基地局１００は参照ＣＱＩ予測値の情報を用いて参照ＣＱＩ予測値と個別ユーザ装置ＵＥ４の時刻ｔ＋ｄにおけるサンプルＣＱＩ予測値との間の加重平均を形成して、時刻ｔ＋ｄにおけるＣＱＩを予測してもよい。加重平均は、個別ユーザ装置ＵＥ４のＣＱＩ値を予測するのに用いられてもよい。個別サンプルＣＱＩ予測値のため進行中の通信セッションの間に収集される統計データに応じて、推定に関する加重平均（α）が更新される。通信セッションの開始時にα＝１で始まり、進行中の通信セッションの間に収集されたＣＱＩ値の統計データの増加に伴ってαを減少させる。重み１−αを有する個別ユーザ装置の推定されたＣＱＩと重みαを有する参照ＣＱＩとを結合することによって、アルゴリズムにおいて用いられる推定されたＣＱＩが形成される。
【００３４】
2010506488.tif 000013
を用いて、個別ユーザ装置ＵＥ４に対する時刻ｔ＋ｄにおける参照ＣＱＩ予測値とサンプルＣＱＩ予測値との間の加重平均が取得される。ここで、
2010506488.tif 000014
は、参照値
2010506488.tif 000015
からの予測と個別ユーザ装置ＵＥ４からのサンプルＣＱＩ予測に基づく予測とを結合することにより形成される予測ＣＱＩであり、重みαは０≦α≦１を満たす。最初は開始時にαは１であり、
2010506488.tif 000016
の推定に用いられるサンプルサイズが増加するにつれてαは０に近づき、典型的には３０個のサンプルが収集された場合にα＝０となる。
【００３５】
個別ユーザ装置ＵＥ４のためのＴＢＳ選択アルゴリズムのような、ＣＱＩに基づいたアルゴリズムへの入力として、個別ユーザ装置ＵＥ４に対する測定されたＣＱＩが、調整されたＣＱＩ＝
2010506488.tif 000017
により置換される。
【００３６】
この例では０と３０との間の整数である時刻ｔにおけるＣＱＩ値のそれぞれに対して、時刻ｔ＋ｄにおける予測可能値も記載することによって、基地局１００により、個別ユーザ装置ＵＥ４に対する個別ＣＱＩ予測テーブルが作成される。ここで、ｄはＣＱＩを予測する遅延時間である。その後、基地局１００は、個別ユーザ装置ＵＥ４のすべてのＣＱＩ値（ｋ）に対するサンプルＣＱＩ予測値
2010506488.tif 000018
を継続して更新する。セル１１０内のすべての個別ユーザ装置ＵＥ１、ＵＥ２、ＵＥ３、ＵＥ４、ＵＥ５、およびＵＥｎに対して同じ手順が実行されてもよい。
【００３７】
図２は、ソースセルから、宛先基地局２１０がサービスを提供する宛先セル２００への個別ユーザ装置のハンドオーバのためのハンドオーバ・シナリオを表現する。この例では、ソースセルは基地局１００がサービスを提供するセル１１０であり、個別ユーザ装置は個別ユーザ装置ＵＥ４である。個別ユーザ装置ＵＥ４は矢印２２０により指示される方向の宛先セル２００に向けて移動する。宛先基地局２１０は上述の方法に従って参照ＣＱＩ予測値を作成している。
【００３８】
ハンドオーバにおいて、ユーザ装置ＵＥ４が宛先セル２１０に入る場合に、個別ユーザ装置ＵＥ４の時刻ｔ＋ｄにおける推定されたＣＱＩ、すなわち個別サンプルＣＱＩ予測値などが宛先基地局２１０に送信される。これにより、宛先セルに入る際の開始フェーズを回避することが可能となる。なぜならば、宛先基地局２１０により作成される参照ＣＱＩ予測値と、ソースセルすなわちセル１１０により作成される個別ユーザ装置ＵＥ４の個別サンプルＣＱＩ予測値との両方を用いて、宛先セル２００で時刻ｔ＋ｄにおけるＣＱＩの予測を行うことができるからである。代替の解決策として、このような参照ＣＱＩ予測値が作成される場合に、宛先セルの参照ＣＱＩ予測値とユーザ装置タイプとを最初に用いてもよい。
【００３９】
ソース基地局すなわち基地局１００は、個別ＵＥ４に対する推定されたサンプルＣＱＩ予測値
2010506488.tif 000019
を宛先セル２００にサービスを提供する宛先基地局２１０に送信する。
2010506488.tif 000020
は、要素数すなわちこの例では３０個の要素（ｋ＝０，…，３０）を有するベクトルである。
【００４０】
以上の実施形態では、時刻ｔにおけるＣＱＩ値を条件とする時刻ｔ＋ｄにおける条件付き期待値は十分な精度を与えると想定される。また、より多くの観測、例えばｔ、ｔ−１、ｔ−２におけるＣＱＩ値を考慮に入れ、それにより予測値の精度を高めることも可能である。
【００４１】
比例公平スケジューリングおよびＨＰ−ＰＤＳＣＨ電力制御のようなＣＱＩ測定に基づく基地局１００の他のアルゴリズムに同じ推定技術が適用されてもよい。基地局１００における処理時間に依存して種々の遅延ｄが適用されてもよい。
【００４２】
上述のように本方法はＥ−ＵＴＲＡなどのアクセスにおいても同様に適用可能でありうる。基地局に送信すべきユーザ装置によるダウンリンクの品質測定値はＥ−ＵＴＲＡにおいても標準化されてもよい。そのような測定はダウンリンクにおけるアルゴリズムの実行前に常に遅延するであろう。また、ＷｉＭａｘ標準も同じタイプの遅延誤りを伴う類似のＣＱＩ報告を含む。
【００４３】
図３はｘ軸が時刻ｔにおけるＣＱＩ値を表し、ｙ軸が時刻ｔ＋ｄにおけるＣＱＩ値を表す図である。この図は、特に大きいＣＱＩ値および小さいＣＱＩ値に対して、条件付き分布が測定ＣＱＩ値を大幅に調整することを示す。
【００４４】
ＣＱＩ予測値を作成する基地局１００における本方法のステップを図４に示すフローチャートを参照して以下に説明する。本方法は以下のステップを含む。
【００４５】
４０１。基地局１００は、少なくとも一つのユーザ装置ＵＥ１、ＵＥ２、ＵＥ３、ＵＥ４、ＵＥ５、ＵＥｎのうちの一つ以上から時刻ｔ＝１，…，ｎにおいてサンプリングされたＣＱＩ値の列を受信する。
【００４６】
４０２。基地局１００は、受信した特定のＣＱＩ値ｋのそれぞれに対して、時刻ｔにおける特定のＣＱＩ値ｋが与えられた場合の時刻ｔ＋ｄにおける条件付きＣＱＩ期待値を推定する。
【００４７】
４０３。基地局１００は、特定のＣＱＩ値ｋに対して予測ＣＱＩ値を取得する。ここで、予測ＣＱＩ値は、特定ＣＱＩ値ｋの時刻ｔ＋ｄにおける推定された条件付きＣＱＩの期待値である。予測ＣＱＩ値は
2010506488.tif 000021
で表され、予測ＣＱＩ値は
2010506488.tif 000022
を用いて取得されてもよい。ここで、
2010506488.tif 000023
は時刻ｔにおけるＣＱＩであり、＃は受信されたＣＱＩ値のうちの時刻ｔにおけるＣＱＩがｋに等しいものの個数である。基地局１００は、無線アクセスネットワークにおいて用いられる特定のＣＱＩ値ｋのそれぞれすべてに対する予測ＣＱＩ値をさらに取得してもよい。用いられる無線アクセスネットワークにおける特定のＣＱＩ値ｋは０から３０の整数であってもよい。
【００４８】
４０４。基地局１００は、無線アクセスネットワークにおいて用いられる特定のＣＱＩ値ｋのそれぞれすべてに対するすべての予測ＣＱＩ値を集約して参照ＣＱＩ予測テーブルを作成してもよい。
【００４９】
４０５。このステップにおいて、基地局１００と個別ユーザ装置ＵＥ４との間の通信セッションが設定されてもよく、基地局１００は基地局１００と個別ユーザ装置ＵＥ４との間の通信セッションの間に個別ユーザ装置ＵＥ４から時刻ｔ＝１，…，ｎにおいてサンプリングされたＣＱＩ値の列を受信する。
【００５０】
４０６。時刻ｔにおける特定のＣＱＩ値が与えられると、基地局１００は個別ユーザ装置ＵＥ４から受信した特定のＣＱＩ値のそれぞれに対して時刻ｔ＋ｄにおけるサンプルＣＱＩ予測値を推定してもよい。
【００５１】
４０７。時刻ｔ＋ｄにおける予測ＣＱＩ値とサンプルＣＱＩ予測値との間の加重平均を形成することによって、基地局１００は個別ユーザ装置ＵＥ４に対する時刻ｔ＋ｄにおける個別予測ＣＱＩ値を取得してもよい。通信セッション開始時にα＝１で開始し、進行中の通信セッションの間に受信されたＣＱＩ値の統計データが増加するにつれてαを減少させるように、進行中の通信セッションの間に受信される個別サンプルＣＱＩ予測値に対するＣＱＩ値の列の統計データに応じて、加重平均が更新される。
2010506488.tif 000024
を用いることによって、個別ユーザ装置（ＵＥ４）に対する時刻ｔ＋ｄにおける予測ＣＱＩ値とサンプルＣＱＩ予測値との間の加重平均を取得してもよい。ここで、
2010506488.tif 000025
は個別予測ＣＱＩ値であり、
2010506488.tif 000026
は参照テーブルからの予測ＣＱＩ値であり、
2010506488.tif 000027
は個別ユーザ装置ＵＥ４からの個別サンプルＣＱＩ予測値である。重みαは０≦α≦１を満たし、αは最初は通信セッション開始時に１であり、
2010506488.tif 000028
の推定に用いられるサンプルサイズが増加するとαは０に近づく。
【００５２】
４０８。次のステップで、個別ユーザ装置ＵＥ４は、基地局１００がサービスを提供するソースセル１１０から、宛先基地局２１０がサービスを提供する宛先セル２００へのハンドオーバを実行してもよい。基地局１００は無線アクセスネットワークにおいて使用される個別ユーザ装置ＵＥ４の特定のＣＱＩ値ｋのそれぞれすべてに対する個別サンプルＣＱＩ予測値を宛先基地局２１０に送信してもよい。宛先基地局２１０により作成された参照ＣＱＩ予測値とソースセル１１０の基地局１００により作成された個別ユーザ装置ＵＥ４の個別サンプルＣＱＩ予測値との両方を用いて、宛先基地局２１０は、宛先セル２００における個別ユーザ装置ＵＥ４の時刻ｔ＋ｄにおける個別サンプルＣＱＩ予測値を作成してもよい。
【００５３】
ＣＱＩ予測値を作成する本方法のステップを実行するために、基地局１００は図５に表現される装置５００を含む。
【００５４】
基地局の装置５００は、時刻ｔ＝１，…，ｎにおいてサンプリングされたＣＱＩ値の列を、少なくとも一つのユーザ装置ＵＥ１、ＵＥ２、ＵＥ３、ＵＥ４、ＵＥ５、ＵＥｎのうちの一つ以上から受信するように構成された受信器５１０を備える。
【００５５】
基地局の装置５００は、受信された特定のＣＱＩ値ｋのそれぞれに対して、時刻ｔにおける特定のＣＱＩ値ｋが与えられた場合の時刻ｔ＋ｄにおけるＣＱＩ値の条件付き期待値を推定するように構成された推定ユニット５２０をさらに備える。
【００５６】
基地局の装置５００は、特定のＣＱＩ値ｋに対する予測ＣＱＩ値を取得するように構成された予測ユニット５３０をさらに備える。予測ＣＱＩ値は、前記特定のＣＱＩ値ｋに対する時刻ｔ＋ｄにおける前記ＣＱＩ値の前記推定された条件付き期待値である。予測ユニット５３０は、無線アクセスネットワークにおいて用いられる特定のＣＱＩ値ｋのそれぞれすべてに対して予測ＣＱＩ値を取得し、無線アクセスネットワークにおいて用いられる特定のＣＱＩ値ｋのそれぞれすべてに対するすべての予測ＣＱＩ値を集約する参照ＣＱＩ予測テーブルを作成するようにさらに構成されてもよい。
【００５７】
ある実施形態では、基地局１００は、基地局１００と個別ユーザ装置ＵＥ４との間に通信セッションを設立するようにさらに構成される。この実施形態では、受信器５１０は、基地局１００と個別ユーザ装置ＵＥ４との間の通信セッションの間に個別ユーザ装置ＵＥ４から時刻ｔ＝１，…，ｎにおいてサンプリングされたＣＱＩ値の列を受信するようにさらに構成される。この実施形態では、推定ユニット５２０は、個別ユーザ装置ＵＥ４からの受信された特定のＣＱＩ値のそれぞれに対して、時刻ｔにおける特定のＣＱＩ値が与えられた場合の時刻ｔ＋ｄにおけるサンプルＣＱＩ予測値を推定するようにさらに構成される。この実施形態では、予測ユニット５３０は、時刻ｔ＋ｄにおける予測ＣＱＩ値と前記サンプルＣＱＩ予測値との間の加重平均を形成することによって、個別ユーザ装置ＵＥ４に対する時刻ｔ＋ｄにおける個別予測ＣＱＩ値を取得するようにさらに構成される。加重平均は、個別サンプルＣＱＩ予測値に対して進行中の通信セッションの間に受信されたＣＱＩ値の列の統計データに応じて更新され、通信セッションの開始時点ではα＝１で始まり、進行中の通信セッションの間に受信されたＣＱＩ値が増加すると予測ＣＱＩ値への重みを減少するように構成される。
【００５８】
別の実施形態では、個別ユーザ装置ＵＥ４は、基地局１００がサービスを提供するソースセル１１０から、宛先基地局２１０がサービスを提供する宛先セル２００へのハンドオーバを実行するように構成される。この実施形態では、基地局の装置５００は、個別ユーザ装置ＵＥ４に対する無線アクセスネットワークにおいて用いられる特定のＣＱＩ値のそれぞれすべてに対する個別サンプルＣＱＩ予測値を宛先基地局２１０に送信するように構成された送信器５４０をさらに備える。宛先基地局２１０は、宛先基地局２１０が作成した参照ＣＱＩ予測値と、ソースセル１１０内の基地局１００が作成した個別ユーザ装置ＵＥ４に対する個別サンプルＣＱＩ予測値と、の両方を用いて、宛先セル２００内の個別ユーザ装置ＵＥ４に対する時刻ｔ＋ｄにおける個別サンプルＣＱＩ予測値を作成するように構成される。
【００５９】
本発明の機能を実行するコンピュータプログラム・コードと共に、図５に表される基地局装置５００内のプロセッサ５５０のような１以上のプロセッサを介して、ＣＱＩ予測値を作成する本機構が実装されてもよい。上述のプログラム・コードは、例えば基地局１００にロードされた場合に本方法を実行するコンピュータプログラム・コードを有するデータ媒体の形式であるコンピュータプログラム製品として提供されてもよい。このような媒体の一つはＣＤＲＯＭディスクの形式であってもよい。しかしながら、本方法の実行はメモリスティックのような他のデータ媒体によっても実行可能である。コンピュータプログラム・コードはさらに、サーバ上の純粋なプログラムとして提供され、遠隔から基地局１００にダウンロードされ得る。
【００６０】
本発明は上述の好適な実施形態に限定されない。様々な代替、修正、および均等物が用いられてもよい。従って、上記の実施形態は本発明の範囲を限定するものと受け取られるべきではなく、本発明の範囲は添付の特許請求の範囲により規定される。
【図１】
2010506488.tif 000037
【図２】
2010506488.tif 000038
【図３】
2010506488.tif 000039
【図４】
2010506488.tif 000040
【図５】
2010506488.tif 000041
【国際調査報告】
2010506488.tif 000042
2010506488.tif 000043
2010506488.tif 000044